(57)【要約】  受信装置及びメディアコンテンツストリームの再生を制御する方法において、受信装置は、メディアプレイヤーを備えるとともに、メディアコンテンツストリームを受信し、処理し、再生するように構成された条件付きアクセスモジュールに関連づけられ、受信装置は、現在のメディアコンテンツストリームの再生の間にユーザコマンドを受信し、条件付きアクセスモジュール内に含まれたメディアコンテンツストリーム入力セレクタに対してユーザコマンドを転送するように構成されたサービス選択モジュールを備える。メディアコンテンツストリーム入力セレクタは、現在のメディアコンテンツストリームの受信を停止し、ユーザコマンドの受信にて付加的なメディアコンテンツストリームを受信する入力に切り替えるように構成され、付加的なコンテンツメディアストリームは、現在のメディアコンテンツストリーム内に投入される少なくとも１つのチャンクを含み、前記少なくとも１つのチャンクは、ユーザコマンドの受信に続くタイムポイントにて現在のメディアストリームの再生を一時停止するように構成される。【選択図】図１
2018500800.tif 000002
【特許請求の範囲】
【請求項１】
放送メディアコンテンツを受信するための受信モジュールであって、メディアプレイヤーに対してアクセスできるとともに、現在視聴されているメディアコンテンツの再生をユーザが一時停止するために、一時停止リクエストを入力することを可能にするように構成される受信モジュールと、
ＶＯＤサーバからＶＯＤメディアコンテンツを受信するための周辺モジュールであって、双方向インタフェースを介して前記受信モジュールに対して着脱可能に接続可能な周辺モジュールと、を備え、
前記周辺モジュールは、少なくとも前記ＶＯＤメディアコンテンツを処理し、前記双方向インタフェースを介して少なくとも前記処理されたＶＯＤメディアコンテンツを前記受信モジュールに送信することができるように構成され、
前記受信モジュールは、少なくとも前記処理されたＶＯＤコンテンツが受信される間に前記双方向インタフェースを介して前記周辺モジュールに対して一時停止命令を送信することができるように構成され、
前記周辺モジュールは、前記一時停止命令の受信に続いて前記受信モジュールに対して前記双方向インタフェースを介して空白コンテンツの少なくとも１つのチャンクを送信するように更に構成され、前記処理されたＶＯＤコンテンツの送信は、ＰＣＲ値を備えるトランスポートストリームパケットにて停止され、前記空白コンテンツのチャンクの送信は、前記処理されたＶＯＤコンテンツの送信が停止される場合に開始し、前記周辺モジュールは、前記ＰＣＲ値を備える前記パケットの一部において不連続インジケータを設定し、前記空白コンテンツの前記チャンクの前記パケットの一部においてペイロードユニット開始インジケータを設定するように更に構成されることを特徴とするマルチメディア受信アセンブリ。
【請求項２】
前記一時停止命令は、所与の期間を有し、前記周辺モジュールは、前記一時停止命令の前記期間に空白コンテンツの更なるチャンクを送信し続けるように構成される請求項１に記載のマルチメディア受信アセンブリ。
【請求項３】
前記受信モジュールは、少なくとも空白コンテンツの少なくとも１つのチャンクが受信されている間に、前記双方向インタフェースを介して前記周辺モジュールに対して再開命令を送信することができるように更に構成され、前記周辺モジュールは、空白コンテンツのチャンクを送信するのを停止し、前記ＰＣＲ値を備え且つ前記不連続インジケータが設定された前記ＶＯＤトランスポートパケットにて開始する前記ＶＯＤコンテンツの送信を再開するように更に構成される請求項１又は２に記載のマルチメディア受信アセンブリ。
【請求項４】
ＶＯＤメディアコンテンツ入力及び双方向インタフェースを有する周辺モジュールにおいて、
受信されるＶＯＤメディアコンテンツの少なくとも一部を格納するためのバッファと、
少なくとも前記ＶＯＤメディアコンテンツを処理するためのプロセッサとを備えるとともに、
前記ＶＯＤメディアコンテンツ入力を介して前記ＶＯＤメディアコンテンツの複数のパケットを受信し、前記双方向インタフェースを介して前記処理されたＶＯＤメディアコンテンツパケットの少なくとも１つを送信するように構成された周辺モジュールであって、
前記周辺モジュールは、前記双方向インタフェースを介して一時停止命令を受信し、前記一時停止命令の受信に続いて前記双方向インタフェースを介して空白コンテンツの少なくとも１つのチャンクを送信するように更に構成され、前記処理されたＶＯＤコンテンツの送信は、ＰＣＲ値を備えるトランスポートストリームパケットにて停止され、前記空白コンテンツのチャンクの送信は、前記処理されたＶＯＤコンテンツの送信が停止される場合に開始し、前記周辺モジュールは、前記ＰＣＲ値を備える前記パケットの一部において不連続インジケータを設定し、前記空白コンテンツのチャンクの前記パケットの一部においてペイロードユニット開始インジケータを設定するように更に構成されることを特徴とする周辺モジュール。
【請求項５】
前記ＶＯＤメディアコンテンツ入力は、無線入力である請求項４に記載の周辺モジュール。
【請求項６】
前記双方向インタフェースは、共通インタフェースであり、前記周辺インタフェースは、条件付きアクセスモジュールである共通インタフェースであり、前記ＶＯＤメディアコンテンツは、暗号化されており、前記処理は、復号化処理を含む請求項４又は５に記載の周辺モジュール。
【請求項７】
前記ＶＯＤメディアコンテンツは、ストリーミングコンテンツを受信することに適合する請求項４〜６のいずれか１項に記載の周辺モジュール。
【請求項８】
前記一時停止命令は、所与の期間を有し、前記周辺モジュールは、前記一時停止命令の前記期間に空白コンテンツの更なるチャンクを送信し続けるように構成される請求項４〜７のいずれか１項に記載の周辺モジュール。
【請求項９】
前記双方向インタフェースを介して再開命令を受信し、前記周辺モジュールは空白コンテンツのチャンクの送信を停止し、前記ＰＣＲ値を備え且つ前記不連続インジケータが設定された前記ＶＯＤトランスポートパケットにて開始する前記ＶＯＤコンテンツの送信を再開するように更に構成された請求項４〜８のいずれか１項に記載の周辺モジュール。
【請求項１０】
前記空白コンテンツのチャンクを生成するように更に構成され、前記チャンクは、前記ＶＯＤコンテンツに取って代わる空白画面であると見なされてもよいイメージを表示するために配置されたペイロードを有するトランスポートストリームパケットを備える請求項４〜９のいずれか１項に記載の周辺モジュール。
【請求項１１】
前記ＶＯＤメディアコンテンツ入力を介してサーバから、又は前記双方向インタフェースを介して受信モジュールから、前記空白コンテンツのチャンクを受信するように更に構成された請求項４〜９のいずれか１項に記載の周辺モジュール。
【請求項１２】
メディア受信アセンブリを用いてＶＯＤメディアコンテンツの再生を一時停止するための方法であって、前記メディア受信アセンブリは、メディアプレイヤーにアクセスできる受信モジュールと、ＶＯＤ入力を介して前記ＶＯＤメディアコンテンツを受信するための周辺モジュールとを備え、
前記受信モジュール及び前記周辺モジュールは、双方向インタフェースを介して通信可能に接続されており、
前記ＶＯＤ入力を介して前記周辺モジュールにおいて前記ＶＯＤコンテンツを受信することと、
前記周辺モジュールにおいて前記ＶＯＤコンテンツを処理することと、
前記双方向インタフェースを介して前記処理されたＶＯＤコンテンツの少なくとも１つのパケットを前記受信モジュールに対して送信することと、
前記双方向インタフェースを介して、前記周辺モジュールによって、前記ＶＯＤコンテンツの再生を一時停止する命令を受信することと、
ＰＣＲ値を備える前記ＶＯＤコンテンツのパケットが発見された場合に前記ＶＯＤコンテンツの送信を停止し、前記ＶＯＤコンテンツの前記パケットの一部内にマーク不連続インジケータを設定することと、
空白コンテンツのチャンクの第１のパケットの一部にペイロードユニット開始インジケータを設定し、前記双方向インタフェースを介して前記ＶＯＤコンテンツの代わりに前記チャンクを送信することと、
を備える方法。
【請求項１３】
前記一時停止命令は、一時停止期間を更に備え、
前記方法は、
前記一時停止期間に対応する期間に空白コンテンツのチャンクを更に送信し続け、その後、前記空白コンテンツのチャンクの前記送信を停止することと、
前記一時停止期間の経過後に、前記ＰＣＲ値を有し且つ前記不連続インジケータが設定されている前記ＶＯＤコンテンツパケットから開始して、前記ＶＯＤコンテンツを送信することと、
を更に備える請求項１２に記載の再生を一時停止するための方法。
【請求項１４】
前記双方向インタフェースを介して再開命令を受信することと、
前記空白コンテンツのチャンクの送信を停止することと、
前記一時停止期間の経過後に、前記ＰＣＲ値を有し且つ前記不連続インジケータが設定されている前記ＶＯＤコンテンツパケットから開始して、前記ＶＯＤコンテンツを送信することと
を更に備える請求項１２に記載の方法。
【発明の詳細な説明】
【技術分野】
【０００１】
本発明は、概して、放送又はオンデマンドのメディアコンテンツの受信及び再生の分野に関する。特に、条件付きアクセスモジュール（ｃｏｎｄｉｔｉｏｎａｌ  ａｃｃｅｓｓ  ｍｏｄｕｌｅ）に関連した受信装置、及びメディアコンテンツの再生を制御する方法が開示される。
【背景技術】
【０００２】
テレビジョンセット、セットトップボックス、パーソナルコンピュータ、タブレットコンピュータ、及び同種のものは、メディアコンテンツを受信することができ、いくつかのケースにおいては、再生することができ、若しくはそれ以外には、提示することができる、既知の装置である。オーバーザトップ（ＯＴＴ：Ｏｖｅｒ−Ｔｈｅ−Ｔｏｐ）コンテンツ配信の分野において、オーディオ、ビデオ、及びその他のメディアコンテンツは、例えばインターネットを介して、メディア受信器に配信することができる。
【０００３】
現時点における最先端技術は、放送コンテンツを受信するためのテレビジョンセットを含むシステムを含み、テレビジョンセットはそれに接続されたＯＴＴ装置を有し、ＯＴＴ装置は、場合によって無線手段を用いて、クラウド（例えばインターネット）からビデオオンデマンド（ＶＯＤ）アセット（ｖｉｄｅｏ−ｏｎ−ｄｅｍａｎｄ  （ＶＯＤ）  ａｓｓｅｔｓ）を受信し、表示のために、ＶＯＤアセットを含むトランスポートストリームをテレビジョンセット内に投入するように構成されてもよい。クラウドから選択されたＶＯＤアセットを視聴するためにこのようなシステムを用いる視聴者は、視聴者がアセットを視聴する間のある時点でＶＯＤアセットの再生を停止又は一時停止することを決定してもよい。これは、一時停止コマンドが発行される場合又は再生を続ける再開コマンドが発行される場合（又は両方の場合）に視聴者によって認識されるタイムラグ又はジッタ効果を回避するのは簡単でない、という課題を引き起こす。
【０００４】
この状況は、上記の一時停止は、オリジナルのＶＯＤアセットの一部でなく、そのため、投入されているトランスポートストリームＴＳに出現しないという点において、ＶＯＤアセットの前、ＶＯＤアセットの間、又はＶＯＤアセットの後に表示するためのプレロール、ミッドロール、又はポストロール広告単位として広告コンテンツがそれぞれ取り入れられるインターネットテレビの分野の既知の状況とは異なる。一時停止を引き起こすことを決定するのは視聴者である。
【発明の概要】
【発明が解決しようとする課題】
【０００５】
例えばテレビジョンセットなどのメディア再生／受信装置に接続されて、トリプレットによって識別されたＴＶチャンネル上にトランスポートストリームパケット（ＴＳパケット）を投入するように構成されたＯＴＴ対応装置を開示する。「トリプレット（ｔｒｉｐｌｅｔ）」は、デジタルテレビのための産業界の標準仕様のデジタルビデオブロードキャスティング（ＤＶＢ：ｄｉｇｉｔａｌ  ｖｉｄｅｏ  ｂｒｏａｄｃａｓｔｉｎｇ）スイートにおけるサービス（又はチャンネル）を一意的に識別する１セットの３つの識別子を意味する放送産業において用いられる用語であり、ＤＶＢトリプレットは、ＤＶＢベースのサービス（又はチャンネル）を一意的に識別する。ＤＶＢトリプレットは、オリジナルネットワーク識別子（ＯＮＩＤ：ｏｒｉｇｉｎａｌ  ｎｅｔｗｏｒｋ  ｉｄｅｎｔｉｆｉｅｒ）と、トランスポートストリーム識別子（ＴＳＩＤ：ｔｒａｎｓｐｏｒｔ  ｓｔｒｅａｍ  ｉｄｅｎｔｉｆｉｅｒ）と、サービス識別子（ＳＩＤ：ｓｅｒｖｉｃｅ  ｉｄｅｎｔｉｆｉｅｒ）とを含む。
【課題を解決するための手段】
【０００６】
第１の態様によれば、受信モジュールと周辺モジュールとを含むマルチメディア受信アセンブリが提供され、アセンブリは、請求項１に記載のメディアコンテンツの再生を制御するように構成される。再生は、受信モジュールに対して接続可能なメディアプレイヤー上で実現されてもよい。請求項４に記載の周辺モジュールは、好ましくは、双方向インタフェースを介して受信モジュールに対して着脱式に接続可能である。周辺モジュールは、好ましくは無線手段を介して、ＶＯＤサーバからビデオオンデマンドアセットを受信するように構成されるという意味で、好ましくはＯＴＴ装置である。ＶＯＤサーバは、例えばインターネットを通じてアクセス可能な任意の遠隔サーバであってもよい。
【０００７】
本発明の更なる目的は、請求項１２に記載のメディアコンテンツの再生を制御する方法を提供することである。
【０００８】
トランスポートストリーム一時停止（ＴＳ一時停止（ＴＳ  ｐａｕｓｅ））は、ＶＯＤ分野において知られており、ＴＳ一時停止を含むコンテンツの再生は一時停止されるべきであるということを意味するものとして、メディアプレイヤー及び／又は受信モジュールによって認識可能である。
【０００９】
本発明のマルチメディア受信アセンブリ及び方法は、視聴者が自身の受信モジュール（又は受信モジュールに接続されたメディアプレイヤー）に対する一時停止コマンドを発行するときに視聴されているトランスポートストリームにトランスポートストリーム一時停止（ＴＳ一時停止）が投入されることを可能にし、トランスポートストリームは、受信モジュールに対して通信可能に接続された周辺モジュールを介して受信されるＯＴＴ技術である。コンテンツの再生は、受信器又はメディアプレイヤーがＴＳ一時停止に遭遇するときに一時停止される。ＴＳ一時停止に遭遇すると、コンテンツのＯＴＴ受信も停止してもよいし、又は、受信されるコンテンツがバッファリングされてもよい。更に、視聴者が視聴を再開するコマンドを発行すると、コンテンツの再生は、コンテンツの全チャンクを再びロードすることを必要とせずに、且つ視聴者がタイムラグ又はジッタに遭遇することなく、一時停止されたフレームから開始する。
【００１０】
本発明は、後に続く詳細な説明及び、本発明の実施形態の非限定的な例として示される以下の添付の図面のおかげで、一層よく理解されることになる。
【図面の簡単な説明】
【００１１】
【図１】条件付きアクセスモジュールに関連する受信モジュールを表示し、受信モジュールは、放送局又はメディアサーバによって提供されるメディアコンテンツを再生するために構成されたメディアプレイヤーに対してアクセスできる。
【発明を実施するための形態】
【００１２】
オーバーザトップコンテンツ配信（ＯＴＴ）の分野において、オーディオ、ビデオ、及び他のメディアコンテンツは、インターネット上で配信されてもよい。条件付きアクセスモジュール（ＣＡＭ）などのＯＴＴ対応装置は、テレビジョンセットなどのメディアプレイヤーＭＰを含む受信モジュールＲＥＣ又はセットトップボックスに接続され、ＤＶＢトリプレットによって識別されるような特定のテレビチャンネル上にトランスポートストリームパケット（ＴＳパケット）又はチャンクを投入するように構成される。条件付きアクセスモジュール又は他の適切な周辺モジュールは、好ましくは、受信モジュールから分離可能に構成される。
【００１３】
本発明の実施形態による受信モジュールの例は、セットトップボックス、テレビジョンセット、又はパーソナルコンピュータを含むが、但し限定はされない。本発明の実施形態が配備され得るシステムは、好ましくは受信モジュールに着脱可能接続可能な、受信モジュールと条件付きアクセスモジュールなどの周辺モジュールとを含む。条件付きアクセスモジュールは、「共通インタフェース」又はユニバーサルシリアルバスインタフェースに対して接続可能なドングルを介して接続可能なＰＣメモリーカード国際協会（ＰＣＭＣＩＡ：Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）モジュールの形式であってもよい。受信モジュールは、例えば、衛星送信、地上放送送信、ケーブル送信を介して、又は例えばＩＰ（インターネットプロトコル）マルチキャスト若しくはユニキャスト技術を使用してストリーミングを実行する有線若しくは無線ネットワークを介して、放送コンテンツストリーミングを受信するように構成される。この受信は、通常、一方向受信である。受信モジュールは、条件付きアクセスモジュールが放送コンテンツを処理すること（例えば、復号化を実行すること）を可能にするために２つのモジュール間のインタフェースを介して条件付きアクセスモジュール（周辺モジュール）に対して放送コンテンツストリーミングを送信するように構成される。条件付きアクセスモジュールは、また、通常は無線手段によって、及び好ましくは個別のＶＯＤ入力を介した双方向方式で、メディアコンテンツストリームを受信するように構成され、それによって、ＶＯＤコンテンツが受信モジュールによって受信されることを可能にする。条件付きアクセスモジュールは、ユーザがどのチャンネルを視聴するのかを選択するのに応じて（選択は放送コンテンツ又はＶＯＤコンテンツの一部に対応してもよい）、放送コンテンツ又はＶＯＤコンテンツのいずれかを処理するために切り替えるようにＣＡＭを指示しながら、２つのモジュール間のインタフェースを介して、コマンドを受信するように構成される。従って、本発明のマルチメディア受信アセンブリの実施形態は、受信モジュールによって第１のチャンネル又は第１の入力を介して受信され、２つのモジュール間のインタフェースを介して受信モジュールに対して戻される前に処理するための条件付きアクセスモジュールに対してインタフェースを介して送信された放送コンテンツを視聴することを、又は、条件付きアクセスモジュールによって第２のチャンネル（又は入力）を介して受信され、条件付きアクセスモジュールによって処理され、その後インタフェースを介して受信モジュールに対して送信されたＶＯＤコンテンツを視聴することを、ユーザが望むか否かをユーザが選択することを可能にする。受信モジュールは、放送側又はＶＯＤ側から到来してもよい、選択されたサービスに切り替えるために、通常はリモートコントロールを介して、ユーザコマンドを受信するサービス選択モジュールを含む。受信モジュールは、選択されたサービスが放送サービスであるかＶＯＤサービスであるかに応じて、インタフェースを介して到着する放送コンテンツの処理に対して条件付きア��セスモジュールを切り替えさせるか、又は、第２の入力を介して投入されるＶＯＤコンテンツの処理に対して条件付きアクセスモジュールを切り替えさせるように、インタフェースを介して条件付きアクセスモジュールに対して信号を送信する。
【００１４】
放送コンテンツは、通常、複数のプログラム内に複数のサービスを備えるマルチプログラムトランスポートストリーム（ＭＰＴＳ：ｍｕｌｔｉｐｌｅ  ｐｒｏｇｒａｍ  ｔｒａｎｓｐｏｒｔ  ｓｔｒｅａｍ）として、受信モジュールから条件付きアクセスモジュールによって受信される。但し、どのサービスが選択されるかに応じて、条件付きアクセスモジュールによって実行される処理は、条件付きアクセスモジュールがマルチプログラムトランスポートストリームからフィルタリングするシングルプログラムトランスポートストリーム（ＳＰＴＳ：ｓｉｎｇｌｅ  ｐｒｏｇｒａｍ  ｔｒａｎｓｐｏｒｔ  ｓｔｒｅａｍ）上で実行される。条件付きアクセスモジュールによって受信されたＶＯＤコンテンツが投入されると言われている。これによって、条件付きアクセスモジュール内の投入モジュールがマルチプログラムトランスポートストリーム内にコンテンツを投入するということを意味し、それによって、ＭＰＴＳから特定の放送コンテンツを選択することができるのと同じ方法で、例えばＤＶＢトリプレットなどの記述子を用いて、記述可能で且つ選択可能であるＭＰＴＳ内に新たなプログラムを形成する。従って、ＶＯＤコンテンツはＤＶＢトリプレットによって識別可能な特定のＴＶチャンネル内に投入されると言うことができる。従って、条件付きアクセスモジュール内のフィルタ又はスイッチ（入力セレクタ）は、どのサービスが選択されたか示す受信モジュールから受信されたコマンドに応じて必要なコンテンツをフィルタリングすることができる。
【００１５】
本明細書に開示する方法及び装置は、放送分野において既知であるプログラム特定情報（ＰＳＩ：Ｐｒｏｇｒａｍ  Ｓｐｅｃｉｆｉｃ  Ｉｎｆｏｒｍａｔｉｏｎ）内に含まれる、プログラムマップテーブル（ＰＭＴ：ｐｒｏｇｒａｍ  ｍａｐ  ｔａｂｌｅｓ）などのＤＶＢテーブルの使用を含んでいてもよい。そのため、１つ以上のＤＶＢテーブルが放送コンテンツ内のＰＳＩとして含まれていてもよい。ＤＶＢテーブルは、また、１つ以上のＤＶＢテーブルがＶＯＤプログラムコンテンツ内のＰＳＩとして含まれることができるという意味で、ビデオオンデマンド分野に存在する。本明細書に記載される方法及び装置は、また、ＶＯＤコンテンツ（ＯＴＴコンテンツ）の一部としてＴＳパケットを受信したＯＴＴ対応装置によって受信されたコンテンツ内に投入されたＴＳパケットの使用又は操作を含んでいてもよい。
【００１６】
プログラム特定情報（ＰＳＩ）は、標準のＩＳＯ／ＩＥＣ  １３８１８−１  ＭＰＥＧ２「情報技術−映像とオーディオの汎用符号化用システム（Ｉｎｆｏｒｍａｔｉｏｎ  ｔｅｃｈｎｏｌｏｇｙ  −  Ｇｅｎｅｒｉｃ  ｃｏｄｉｎｇ  ｏｆ  ｍｏｖｉｎｇ  ｐｉｃｔｕｒｅｓ  ａｎｄ  ａｓｓｏｃｉａｔｅｄ  ａｕｄｉｏ  ｉｎｆｏｒｍａｔｉｏｎ：  Ｓｙｓｔｅｍｓ）」によって特に規定される。個別のプログラムストリームを多重分離及び復号するための自動的な方法で受信器（受信モジュールを参照）が構成されることを可能にするプログラム特定情報データは、例えば、マルチプレックスの各サービスを表示するプログラム関連テーブル（ＰＡＴ：Ｐｒｏｇｒａｍ  Ａｓｓｏｃｉａｔｉｏｎ  Ｔａｂｌｅ）（ローカライゼーション、即ち、各サービスのストリームのローカライゼーション及びサービスのためのプログラムクロックリファレンス（ＰＣＲ：Ｐｒｏｇｒａｍ  Ｃｌｏｃｋ  Ｒｅｆｅｒｅｎｃｅ）フィールドのローカライゼーションを識別し示す、対応するプログラムマップテーブル（ＰＭＴ：Ｐｒｏｇｒａｍ  Ｍａｐ  ｔａｂｌｅ）のトランスポートストリーム（ＴＳ）のパケットのパケット識別子（ＰＩＤ：Ｐａｃｋｅｔ  Ｉｄｅｎｔｉｆｉｅｒｓ）の値）などのテーブルにおいて構造化される。プログラム特定情報（ＰＳＩ）は、マルチプレックスにおいて、又はネットワークにおいて、搬送されたサービス及びイベントを視聴者が識別することを可能にするデータを更に備える。このデータは、サービスの名称及びプロバイダなどのサービスを記述するデータを含むサービス記述テーブル（ＳＤＴ：Ｓｅｒｖｉｃｅ  Ｄｅｓｃｒｉｐｔｉｏｎ  Ｔａｂｌｅ）などのテーブルに分散される。
【００１７】
本開示は、適応型ストリーミング分野において既知であるようなコンテンツのチャンクを指し、ここで、コンテンツのチャンクは、所与の解像度にてオーディオ／ビデオアセットの所与の期間を提供するのに有用なＤＶＢテーブルなどのＰＳＩと共に、例えば、オーディオ／ビデオアセットからのオーディオ／ビデオコンテンツのいくつかのパケットを備えてもよい。
【００１８】
メディアプレイヤーを含む実施形態において、メディアプレイヤーがコンテンツの再生を開始すると、先ずメディアプレイヤーのバッファ内へコンテンツの１つ以上のチャンクを格納し、格納されたチャンクの再生を開始する一方で、次のチャンクは、ネットワーク（ＶＯＤ又は放送）からダウンロードされ、メディアプレイヤーに対してアクセスする条件付きアクセスモジュール及び／又は受信モジュールＲＥＣによって処理される。受信モジュールそれ自体がメディア再生機能を実行する際に、このようなバッファリングが、受信モジュールのメモリ内に、又は受信モジュールがアクセスする外部記憶装置内で行われてもよい。オプションとして、周辺モジュール（ＣＡＭ）は、コンテンツがＶＯＤ又はＯＴＴコンテンツである場合に、周辺機器のメモリ内でバッファリング機能を実行してもよい。
【００１９】
実施形態によれば、通信可能に受信モジュールに接続された周辺モジュールを介してクラウド又はネットワーク上のサーバから選択されたＶＯＤアセットを受信し視聴するために本発明の受信モジュールＲＥＣを用いる視聴者は、アセットの視聴の間のある時点においてＶＯＤアセットの再生を一時停止することを決定してもよい。このようなケースにおいて、トランスポートストリーム一時停止（ＴＳ一時停止）は、以下に記載される方法のいずれかによって、周辺モジュールを介して受信器モジュールによって受信されているトランスポートストリーム内に投入されることになる。投入は、周辺モジュールによって、受信モジュールから受信されたＭＰＴＳにされ、ＶＯＤコンテンツが投入されていたのと同じチャンネル内に出現するトランスポートストリーム一時停止により引き起こされる新たなＭＰＴＳをもたらす。これは、対応するＳＰＴＳが受信モジュールの復号器に戻るときにＶＯＤコンテンツにおいて一時停止をもたらす。
【００２０】
本明細書に記載のトランスポートストリーム一時停止は、ＶＯＤアセットと同じ方法で、トランスポートストリーム一時停止がクラウド又はサーバからダウンロードされ得る、又は周辺モジュール内で生成され得る、という効果を生み出すいくつもの技術特性を有する。そのため、トランスポートストリーム一時停止は、チャンクがトランスポートストリームパケットと同じ数を有するという点で、ＶＯＤアセットのチャンクサイズと同じチャンクサイズを有するべきである。好ましくは、受信装置によって放送チャンネルから受信される符号化コンテンツ又は復号化コンテンツに用いられる、同じコーデック又は少なくとも同じタイプのコーデックは、トランスポートストリーム一時停止を適切に解釈することができるべきである。トランスポートストリーム一時停止は、好ましくは、少なくとも１つのビデオＰＩＤ及び／又は１つのオーディオＰＩＤ（放送分野において既知であるようなプログラムＩＤ）に加えて、サービス記述テーブル（ＳＤＴ：ｓｅｒｖｉｃｅ  ｄｅｓｃｒｉｐｔｉｏｎ  ｔａｂｌｅ）、プログラム割り当てテーブル（ＰＡＴ：ｐｒｏｇｒａｍ  ａｌｌｏｃａｔｉｏｎ  ｔａｂｌｅ）及びプログラムマップテーブル（ＰＭＴ：ｐｒｏｇｒａｍ  ｍａｐ  ｔａｂｌｅ）を備える。プログラムクロック基準（ＰＣＲ）も、また、好ましくはビデオＰＩＤ上に存在するべきである。最終的に、トランスポートストリーム一時停止は、Ｉ−フレームで始まる閉じた画像グループ（ＧＯＰ：ｇｒｏｕｐ  ｏｆ  ｐｉｃｔｕｒｅｓ）を好ましくは表わすべきである。
【００２１】
本発明の実施形態によるトランスポートストリーム一時停止のための条件は、少なくとも、
ａ）トランスポートストリーム一時停止におけるチャンクのサイズは、現在のＶＯＤアセットにおけるチャンクサイズと等しく、
ｂ）トランスポートストリーム一時停止に用いられるコーデック（圧縮／解凍のプログラム、ハードウェア、若しくはミドルウェア）は、現在のテレビチャンネル上で用いられるものと同じか若しくは少なくとも同じタイプであり、
ｃ）ＳＤＴ（サービス記述テーブル）、ＰＡＴ（プログラム割り当てテーブル）及びＰＭＴ（プログラムマップテーブル）は、利用可能でなければならなず、
ｄ）オーディオコンテンツパケット及びビデオコンテンツパケットは、所与のＰＩＤ（パケット識別子）を各々有し、
ｅ）ビデオＰＩＤは、プログラムクロック基準（ＰＣＲ）を含むか、若しくはそうでなければ、プログラムクロック基準（ＰＣＲ）に関連づけられ、及び
ｆ）チャンクは、従来の静止画像ファイルと同様に「イントラ符号化画像」（即ち完全に特定された画像）として規定されたＩ−フレームから始まる閉じた画像グループ（ＧＯＰ）を形成する
ように要約されてもよい。
【００２２】
プログラムクロック基準（ＰＣＲ）は、提供されるＶＯＤにおいてタイムポイントＰＴを規定するために用いられる。使用される技術に応じて、タイムポイントＴＰは、時間、分、及び秒で、又は開始からの若しくはコンテンツにおける既定の参照からのいくつものビデオフレームによって、表わされてもよい。
【００２３】
実施形態によれば、ＶＯＤサーバから周辺機器によって受信された選択されたＶＯＤコンテンツを視聴しているユーザ（視聴者）は、ＶＯＤコンテンツの再生を一時停止することを望んでおり、そのため、再生の間の任意のタイムポイントにてリモート制御装置上の適切なボタンを押すことによって、一時停止コマンドを発行する。受信モジュールは、コマンドを受信し、周辺機器に対して、インタフェースを介して、対応する命令又は信号を送信する。結果的に、周辺機器は、ＭＰＴＳ内に（上記のように）トランスポートストリーム一時停止を投入する。トランスポートストリーム一時停止は、少なくとも１つのチャンクのサイズを有する。このように投入されたトランスポートストリーム一時停止は、まさにＶＯＤコンテンツがしたように、インタフェースを介して受信モジュールに戻る。再生がメディアプレイヤーによって実行されれば、メディアプレイヤーは、トランスポートストリーム一時停止を受信すると休止するが、そうでなければ、受信モジュールが再生を実行されれば、受信モジュールは、トランスポートストリーム一時停止が受信されると休止する。プレーヤが内蔵の休止機能をアクティブ化することを強制されないため、一時停止は、仮想一時停止と記載されてもよい。その代りに、それは、視聴者がトランスポートストリーム一時停止チャンクのペイロードの値に応じて空白画面又は黒色若しくは白色若しくはそれ以外の「ニュートラルな」画面を認識するという意味で、このような内蔵の一時停止と同じ効果を引き起こす。１つの実施形態によれば、トランスポートストリーム一時停止ペイロードは、黒色画面を表わす。視聴者は、その後、トランスポートストリーム一時停止チャンクが周辺モジュールによって投入されている限り、一時停止の期間に黒色画面を認識することになる。従って、トランスポートストリーム一時停止チャンクは、一時停止をシミュレートするために用いられる、空白コンテンツを備えると言える。一時停止は、受信モジュールＲＥＣによってユーザコマンドＣＭＤの処理時間、及び周辺機器における命令を受信し、トランスポートストリーム一時停止を投入し、投入されたコンテンツ及びトランスポートストリーム一時停止を処理する時間、に対応する期間の後に生じる。以下に記載される方式で行われるトランスポートストリーム一時停止の投入のための準備をすることによって、視聴者は、一時停止に関するタイムラグやジッタに遭遇しないことになる。
【００２４】
既知のように、トランスポートストリームパケットは、ヘッダ及びペイロードを有し、また、適応フィールド（ａｄａｐｔａｔｉｏｎ  ｆｉｅｌｄ）を有してもよい。適応フィールドは、ＰＣＲフィールドが含まれていれば設定することができるＰＣＲフラグを有する。ヘッダは、エレメンタリストリームの開始又は識別されるいくつかのプログラム特定情報（ＰＳＩ）の開始を可能にするブールフラグ（Ｂｏｏｌｅａｎ  Ｆｌａｇ）であるペイロードユニット開始インジケータビット（Ｐａｙｌｏａｄ  Ｕｎｉｔ  Ｓｔａｒｔ  Ｉｎｄｉｃａｔｏｒ  ｂｉｔ）を有する。適応フィールドは、また、現在のパケットがＰＣＲに対して不連続状態であることを示すために用いられる不連続インジケータを有する。
【００２５】
周辺モジュールが一時停止するべき命令を受信すると、プログラムクロック基準（ＰＣＲ）を含むＶＯＤコンテンツ内にトランスポートストリームパケットを検出するまで待機し、その時点にてＶＯＤコンテンツの投入を停止する。周辺モジュールは、また、ＰＣＲが発見されたパケットの不連続インジケータを一方に対して設定する。投入は、ＰＣＲを伴うパケット及び任意の後続のパケットが処理のために送信されないという意味で、ＰＣＲが発見されたパケットにて停止される。その代わりに、それらは（バッファにおいて、又はコンテンツの送信を停止するＶＯＤサーバへの指示によって）阻止される。従って、周辺モジュールは、ＰＣＲフラグを検出し、トランスポートストリーム内のそのパケットにてＶＯＤコンテンツの投入を停止し、一方に対してその不連続インジケータを設定するように構成される。次に、周辺モジュールは、トランスポートストリーム一時停止を投入し、ここで、トランスポートストリーム一時停止の第１のパケットは、ＶＯＤコンテンツパケットが投入されていたはずの位置に投入される。このパケット（一時停止）を投入する前に、周辺モジュールは、一方に対してペイロードユニット開始インジケータを設定する。受信モジュールは、新たなエレメンタリストリームが受信されていることを認識することになり、ここで、エレメンタリストリームは、周辺機器が投入したトランスポートストリーム一時停止である。最終的に（受信モジュールに対してコマンドを発行するユーザ及びインタフェースを介して対応する信号を周辺モジュールに送信する受信モジュールによって）再開コマンドが受信されると、周辺モジュールは、トランスポートストリーム一時停止チャンク（空白コンテンツのチャンク）の投入を停止し、ＶＯＤコンテンツの投入を再開する（ＰＣＲ値を有することが発見され且つ不連続インジケータが設定されたＶＯＤコンテンツから開始する）。不連続インジケータは、適応フィールド内にあり、現在のパケットがＰＣＲに対して不連続状態であることを示すために用いられる。このように、不連続は、トランスポートストリーム一時停止が投入された場合にマークされる。このようにして、受信装置が「未知の（ｓｔｒａｎｇｅ）」ＰＣＲ値を有するＶＯＤパケットを受信すると、不連続があるに違いないと受信装置が警告されているため、ジッタを引き起こさないことになる。
【００２６】
異なる実施形態によれば、トランスポートストリーム一時停止（又は空白コンテンツチャンク）は、サーバ（ＶＯＤサーバ）からダウンロードされること、又は周辺モジュールにおいて生成されること、又は双方向インタフェースを介して受信モジュールから受信されることのいずれかが可能であり、いくつかの実施形態によれば、空白コンテンツチャンクは、生成される代わりに、周辺モジュール又は受信モジュール内に予め格納されてもよい。
【００２７】
異なる実施形態によれば、トランスポートストリーム一時停止チャンクは、黒色画面、パターン化画面、若しくは着色画面、又は静止画像、ビデオシーケンスループ…などが表示されるように構成することができるかもしれないし、また、一時停止を再開する方法を示すメッセージを更に含んでもよい。従って、トランスポートストリーム一時停止チャンクは、空白コンテンツ又はニュートラルなコンテンツ又は要求された一時停止の期間にＶＯＤコンテンツを置換する一時停止コンテンツをも備えるものとして便利に称されてもよい。
【００２８】
ユーザがＶＯＤコンテンツの再生の再開を望む場合、そのユーザは、受信モジュール（又はメディアプレイヤー）への配慮のためにリモートコントロール上で更にコマンドを発行してもよく、サービスセレクタＳ  ＳＥＬは、インタフェースを介して周辺モジュールの入力セレクタＩＮ  ＳＥＬに対してコマンドを転送する。周辺モジュールは、その後、トランスポートストリーム一時停止の投入を停止し、阻止され、不連続インジケータが設定されていた、ＰＣＲを有するパケットからＶＯＤコンテンツの投入を再開する。受信装置（又はメディアプレイヤー）は、その後、ＰＣＲ値内の不連続を予期し、そのため、ジッタが引き起こされる。
【００２９】
実施形態によれば、一時停止を示すために発行されるユーザコマンドは、一時停止の期間を規定するパラメータを含んでもよい。この期間は、リモートコントロールによって設定されるか、又は受信モジュールＲＥＣのメモリ内に格納された設定ファイルにおいて事前設定されてもよい。例えば、ユーザは、５分の一時停止パラメータを設定するために、「一時停止／再開」ボタンを押し、それに続いて数値「３００」のボタンを押してもよい。パラメータによって規定された期間の終端において、一時停止は、再開コマンドがサービスセレクタＳ  ＳＥＬによって受信された場合と同じメカニズムを用いることによって自動的に再開される。
【００３０】
更なる実施形態によれば、最大一時停止の期間は、視聴者が不在の状態において無用のストリーム処理及び再生を防ぐために設定ファイル内に設定されてもよい。最大期間の終端において、受信モジュールＲＥＣは、ストリーム処理を停止し、現在のメディアコンテンツの再生を再開するか又は再生する新たなメディアコンテンツを選択するためにユーザの介入を必要とするスタンバイモードに入ってもよい。
【００３１】
方法は、図１に示されるように、例えばバーカーチャンネル（ｂａｒｋｅｒ  ｃｈａｎｎｅｌｓ）の放送局Ｂ／ＣＡＳＴからメディアコンテンツを受信するためのチューナＴＵＮを備える、受信モジュールＲＥＣにおいて実行されてもよい。バーカーチャンネルは、他のチャンネル上のメディアコンテンツをリストアップ又はプロモートする（即ち、利用可能なＶＯＤスケジュール及び／又はプログラム説明や予告編）専用のテレビチャンネルである。
【００３２】
放送チャンネルは、トランスポートストリーム識別子ＴＳ＿ＩＤ、オリジナルネットワーク識別子ＯＮＩＤ及びサービス識別子Ｓ＿ＩＤを備えるＤＶＢトリプレットによって識別されてもよい。受信モジュールＲＥＣは、インターネット若しくはクラウドなどの更なるソースからコンテンツを受信するように構成されたＯＴＴ（オーバーザトップ）装置に関連づけられており、受信されたコンテンツを保存するための記憶装置を備えてもよい。
【００３３】
好ましい実施によれば、ＯＴＴ装置は、インターネットに対する無線接続を確立することができるＷｉＦｉ接続インタフェースを有する条件付きアクセスモジュール（ＣＡＭ）から構成されてもよい。以降ＷｉＦｉＣＡＭと呼ぶＯＴＴ装置は、好ましくは、ＣＥＮＥＬＥＣ（欧州電気技術規格調整委員会（Ｅｕｒｏｐｅａｎ  Ｃｏｍｍｉｔｔｅｅ  ｆｏｒ  Ｅｌｅｃｔｒｏｔｅｃｈｎｉｃａｌ  Ｓｔａｎｄａｒｄｉｚａｔｉｏｎ））によるＥＮ  ５０２２１基準において規定されたようなタイプＣＩ又はＤＶＢ−ＣＩの共通インタフェースポートなどの適切なインタフェースを介して、受信モジュールＲＥＣに接続するように構成されてもよい。代替え的に、条件付きアクセスモジュール（ＣＡＭ）は、ユニバーサルシリアルバス（ＵＳＢ）を介して受信モジュールＲＥＣに接続されてもよい。
【００３４】
実施形態によれば、共通インタフェースＣＩは、受信モジュールＲＥＣのチューナＴＵＮによって受信されたコンテンツを備える多重プログラムトランスポートストリームＭＰＴＳをＷｉＦｉＣＡＭに対して、及びＷｉＦｉＣＡＭから受信モジュールＲＥＣに戻るシングルプログラムトランスポートストリームＳＰＴＳを送信するように構成される。概して、マルチプログラムトランスポートストリーム［ＭＰＴＳ］ＣＷは、有料テレビの分野において既知のように、ＥＣＭ制御メッセージから抽出された制御ワードＣＷによって暗号化されたコンテンツを備える。
【００３５】
実施形態によれば、ＷｉＦｉＣＡＭは、実行される暗号化コンテンツの復号化を可能にする復号化能力を備えてもよく、例えば先進暗号化標準（ＡＥＳ：Ａｄｖａｎｃｅｄ  Ｅｎｃｒｙｐｔｉｏｎ  Ｓｔａｎｄａｒｄ）アルゴリズム又は対称鍵を用いる他の適切なアルゴリズムを用いることによってローカル鍵ＣＫ（［ＳＰＴＳ］ＣＫ）によって、受信モジュールＲＥＣに対して返送されたシングルプログラムトランスポートストリームＳＰＴＳも暗号化され得るように暗号化のための能力を更に含んでもよい。
【００３６】
暗号化されたＶＯＤアセットを受信するように規定されている場合、ＷｉＦｉＣＡＭは、例えば図１のＡＥＳ−１として示されるＡＥＳ復号器を使用して適切な鍵ＫによりＶＯＤアセットを復号してもよい。ＷｉＦｉＣＡＭは、復号されたトランスポートストリームＳＰＴＳを取得するために、ＷｉＦｉＣＡＭから入ってくるトランスポートストリームを復号する装置ＲＥＣに、対応するトランスポートストリーム（［ＳＰＴＳ］ＣＫ）を送信する前に、ローカル鍵ＣＫによりＶＯＤアセットを暗号化してもよい。その後、この復号されたトランスポートストリームＳＰＴＳは、受信モジュールＲＥＣに関連づけられたメディアプレイヤーＭＰに対して転送される。
【００３７】
受信モジュールＲＥＣのサービスセレクタＳ  ＳＥＬは、好ましい実施形態により、チューナＴＵＮが接続される放送チャンネル、又はインターネットを通じてクラウドに接続されるＷｉＦｉＣＡＭによって提供されるチャンネル、のいずれかを視聴することをチャンネルの選択により可能にする。サービス選択は、放送チャンネルがＷｉＦｉＣＡＭによって提供されたＶＯＤチャンネルから区別されることを可能にするサービス識別子Ｓ＿ＩＤと、トランスポートストリームＴＳ内に含まれるパケット識別子とに基づく。本発明の実施形態によれば、サービスセレクタＳ  ＳＥＬは、また、ＶＯＤコンテンツストリーム内に挿入された現在視聴されているメディアコンテンツに対して適合するチャンクを備えるトランスポートストリーム一時停止を有しているＶＯＤコンテンツストリームの選択を、適切なユーザコマンドの受信に際して、可能にしてもよい。
【００３８】
異なる実施形態によれば、ＶＯＤコンテンツの再生を一時停止する信号を周辺モジュールが受信すると、ＶＯＤサーバから到来するＶＯＤコンテンツは、一時停止の期間に又は再開コマンドが受信されるまで、周辺モジュール内でバッファリングされてもよく、ＶＯＤコンテンツは、その後、再生が再開される場合にＦＩＦＯ方式でバッファから読み出される。代替え的に、周辺モジュールは、一時停止の期間が経過するか、又は再開コマンドが受信されるまで、更なるＶＯＤコンテンツの送信を停止するようにＶＯＤサーバに指示してもよい。また、これらの双方の方法を混合することも、いくつかの実施形態により可能である。
【図１】
2018500800.tif 000003
【国際調査報告】
2018500800.tif 000004
2018500800.tif 000005
2018500800.tif 000006